(57)【要約】【課題】複数の電池セルが接続される場合に、電池セル同士の間の電圧差を調整することができる電池装置を提供する。【解決手段】複数の電池セルが電気的に直列に接続された電池部と、それぞれの前記電池セルの内部抵抗を計測する計測部と、少なくとも１個の前記電池セルに抵抗成分を付加する抵抗成分付加部と、前記計測部により計測された前記内部抵抗に基づいて前記抵抗成分付加部を制御する抵抗制御部と、を備え、前記抵抗成分が付加された前記電池セルの前記内部抵抗と前記抵抗成分との合計値が、他のすべての前記電池セルの前記内部抵抗の値よりも大きい、電池装置。【選択図】図１
2019165557.tif 000002
【特許請求の範囲】
【請求項１】
複数の電池セルが電気的に直列に接続された電池部と、
それぞれの前記電池セルの内部抵抗を計測する計測部と、
少なくとも１個の前記電池セルに抵抗成分を付加する抵抗成分付加部と、
前記計測部により計測された前記内部抵抗に基づいて前記抵抗成分付加部を制御する抵抗制御部と、を備え、
前記抵抗成分が付加された前記電池セルの前記内部抵抗と前記抵抗成分との合計値が、他のすべての前記電池セルの前記内部抵抗の値よりも大きい、
電池装置。
【請求項２】
複数の前記電池セルの充電末期と放電末期の少なくとも一方において、前記抵抗成分付加部により少なくとも１個の前記電池セルに前記抵抗成分を付加する、
請求項１に記載の電池装置。
【請求項３】
前記抵抗成分は、抵抗値が一定である固定抵抗である、
請求項１または請求項２に記載の電池装置。
【請求項４】
２以上の前記電池セルについて、前記固定抵抗と、前記固定抵抗が前記電池セルに電気的に付加された状態と前記固定抵抗が前記電池セルに電気的に付加されない状態とを切り替えるスイッチと、を備え、
前記抵抗制御部は、前記計測部により計測された前記内部抵抗に基づいて、前記固定抵抗が前記電池セルに付加された状態とする前記電池セルを選択し、選択された前記電池セルに前記固定抵抗が付加された状態となるように前記スイッチを制御する、
請求項３に記載の電池装置。
【請求項５】
前記抵抗成分は、抵抗値が可変である可変抵抗である、
請求項１または請求項２に記載の電池装置。
【請求項６】
１以上の前記電池セルについて、前記可変抵抗を備え、
前記抵抗制御部は、前記計測部により計測された前記内部抵抗に基づいて、前記可変抵抗の抵抗値を変化させる、
請求項５に記載の電池装置。
【請求項７】
複数の電池装置を備え、
少なくとも１個の前記電池装置は、請求項１から請求項６のいずれか１項に記載の電池装置である、
電池システム。
【発明の詳細な説明】
【技術分野】
【０００１】
本発明は、電池装置および電池システムに関する。
【背景技術】
【０００２】
電池装置は、様々な電源として使用されている。電池装置の用途として、例えば、フォークリフトまたは無人搬送車（ＡＧＶ：Ａｕｔｏｍａｔｉｃ  Ｇｕｉｄｅｄ  Ｖｅｈｉｃｌｅ）などの移動体における電源としての用途、あるいは、無停電電源装置（ＵＰＳ：Ｕｎｉｎｔｅｒｒｕｐｔｉｂｌｅ  Ｐｏｗｅｒ  Ｓｕｐｐｌｙ）または電力貯蔵装置（ＥＳＳ：Ｅｎｅｒｇｙ  Ｓｔｏｒａｇｅ  Ｓｙｓｔｅｍ）などの据え置き装置における電源としての用途がある。
【０００３】
このような電池装置では、当該電池装置の使用環境、あるいは、当該電池装置を構成しているそれぞれの電池セルの特性差に起因して、当該電池装置を構成する特定の電池セルについて、他の電池セルと比べて、早期に寿命が短くなる、過充電が生じる、あるいは、過放電が生じるといった不具合が発生する場合があった。
このような不具合が発生すると、電池装置の本来の性能を発揮することができなくなり、システム全体に異常が発生する虞もあった。
【０００４】
特許文献１には、二次電池（特許文献１の説明において、二次電池は電池セルのことを表す。）に対する電流経路上にスイッチおよび抵抗部を並列に接続し、充電中において、二次電池の電圧があらかじめ設定された上限電圧以上となった場合に、当該スイッチをオフにして、当該抵抗部を介して充電電流を流す、充電方法が記載されている（特許文献１参照。）。当該充電方法では、二次電池の電圧が当該上限電圧以上となった場合に、当該抵抗部の電圧降下によって二次電池に対する充電電圧を低下させ、二次電池の電圧が過充電検出電圧を超えないように制御することが図られている。
【０００５】
しかしながら、特許文献１に記載された充電方法では、１個の二次電池または互いに接続された複数の二次電池と外部の機器とが接続される端子との間に抵抗部を有する構成となっているため、複数の二次電池が接続される場合には、個々の二次電池の電圧を個別に制御することができない。このため、当該充電方法では、複数の電池セルが接続される場合に、電池セル同士の間の電圧差を調整することができず、特定の電池セルの寿命が他の電池セルの寿命と比べて早期に短くなるという虞を排除することができない。
【０００６】
特許文献２には、単電池（電池セル）が直列に接続された複数の二次電池群がスイッチを介して並列に接続されたユニットに可変抵抗が直列に接続された交換用電池モジュールを具備する電池調整方法が記載されている（特許文献２参照。）。当該電池調整方法では、当該スイッチを制御して二次電池群の並列数を変化させて容量の調整を行い、当該可変抵抗の抵抗値を変化させて内部抵抗の調整を行うことで、交換用電池モジュールの容量と内部抵抗を組電池の具備する残りの電池モジュールの容量と内部抵抗に揃えることにより、当該組電池が当該交換用電池モジュールを具備して充放電を行う際に、当該組電池の特性をよりよく引き出すことが図られている。
【０００７】
しかしながら、特許文献２に記載された電池調整方法では、複数の二次電池が直列および並列に接続された電池モジュールの単位で電圧が調整されるため、個々の電池セルの電圧を個別に制御することができない。このため、当該電池調整方法では、複数の電池セルが接続される場合に、電池セル同士の間の電圧差を調整することができず、特定の電池セルの寿命が他の電池セルの寿命と比べて早期に短くなるという虞を排除することができない。
【先行技術文献】
【特許文献】
【０００８】
【特許文献１】特開２０１０−２４６２２５号公報
【特許文献２】特開２０１２−１８５９９１号公報
【発明の概要】
【発明が解決しようとする課題】
【０００９】
上述のように、従来では、複数の電池セルが接続される場合に、電池セル同士の間の電圧差を調整することができない場合があった。
【００１０】
本発明は、このような事情を考慮してなされたもので、複数の電池セルが接続される場合に、電池セル同士の間の電圧差を調整することができる電池装置および電池システムを提供することを課題とする。
【課題を解決するための手段】
【００１１】
本発明の一態様は、複数の電池セルが電気的に直列に接続された電池部と、それぞれの前記電池セルの内部抵抗を計測する計測部と、少なくとも１個の前記電池セルに抵抗成分を付加する抵抗成分付加部と、前記計測部により計測された前記内部抵抗に基づいて前記抵抗成分付加部を制御する抵抗制御部と、を備え、前記抵抗成分が付加された前記電池セルの前記内部抵抗と前記抵抗成分との合計値が、他のすべての前記電池セルの前記内部抵抗の値よりも大きい、電池装置である。
【００１２】
本発明の一態様は、電池装置において、複数の前記電池セルの充電末期と放電末期の少なくとも一方において、前記抵抗成分付加部により少なくとも１個の前記電池セルに前記抵抗成分を付加する、構成が用いられてもよい。
本発明の一態様は、電池装置において、前記抵抗成分は、抵抗値が一定である固定抵抗である、構成が用いられてもよい。
本発明の一態様は、電池装置において、２以上の前記電池セルについて、前記固定抵抗と、前記固定抵抗が前記電池セルに電気的に付加された状態と前記固定抵抗が前記電池セルに電気的に付加されない状態とを切り替えるスイッチと、を備え、前記抵抗制御部は、前記計測部により計測された前記内部抵抗に基づいて、前記固定抵抗が前記電池セルに付加された状態とする前記電池セルを選択し、選択された前記電池セルに前記固定抵抗が付加された状態となるように前記スイッチを制御する、構成が用いられてもよい。
本発明の一態様は、電池装置において、前記抵抗成分は、抵抗値が可変である可変抵抗である、構成が用いられてもよい。
本発明の一態様は、１以上の前記電池セルについて、前記可変抵抗を備え、前記抵抗制御部は、前記計測部により計測された前記内部抵抗に基づいて、前記可変抵抗の抵抗値を変化させる、構成が用いられてもよい。
【００１３】
本発明の一態様は、複数の電池装置を備え、少なくとも１個の前記電池装置は、上記したような電池装置である、電池システムである。
【発明の効果】
【００１４】
本発明によれば、複数の電池セルが接続される場合に、電池セル同士の間の電圧差を調整することができる。
【図面の簡単な説明】
【００１５】
【図１】本発明の一実施形態に係る電池装置の概略的な構成を示す図である。
【図２】本発明の一実施形態に係る抵抗成分付加部の一例を示す図である。
【図３】本発明の一実施形態に係る抵抗成分付加部の他の例を示す図である。
【図４】本発明の一実施形態に係る電池セルの充電時に上限電圧に到達することを抑制する制御の概略を示す図である。
【図５】本発明の一実施形態に係る電池セルの放電時に下限電圧に到達することを抑制する制御の概略を示す図である。
【発明を実施するための形態】
【００１６】
以下、図面を参照し、本発明の実施形態について説明する。
本実施形態では、説明の便宜上、最小単位となる電池を「電池セル」と呼ぶ。なお、「電池セル」の代わりに、「単電池」あるいは「セル」などと呼ばれてもよい。
同様に、本実施形態では、複数の電池セルを直列あるいは並列（直列と並列の組み合わせでもよい。）で有するまとまりを「電池部」と呼ぶ。本実施形態では、「電池部」は、複数の電池セル以外の回路素子を含んでもよい。なお、「電池部」の代わりに、単に「電池」（複数の電池セルのまとまりの電池）と呼ばれてもよい。
同様に、本実施形態では、電池部を備える装置を「電池装置」と呼ぶ。なお、「電池装置」の代わりに、「電池パック」、あるいは、「電池モジュール」などと呼ばれてもよい。
同様に、本実施形態では、複数の電池装置を備えるまとまりを「電池システム」と呼ぶ。なお、「電池システム」の代わりに、「組電池」などと呼ばれてもよい。
ここで、これらの呼び方は説明の便宜上のものであり、呼び方が異なっても実質的に同じものは含まれ得る。
【００１７】
図１は、本発明の一実施形態に係る電池装置１の概略的な構成を示す図である。
なお、本実施形態では、電気信号が流れる配線について、一部の配線に符号（図示の符号）を付し、他の配線については符号を省略するが、通常、有線で電気信号が流れるところには配線が備えられる。当該配線は、当該配線によって接続される２個以上の構成部どうしを電気的に接続する。
【００１８】
図１に示される構成について説明する。
電池装置１は、電池部Ｃ１と、プラス（＋）の出力端である接続端１１と、マイナス（−）の出力端である接続端１２と、温度センサ３１と、電流検出抵抗３２と、遮断部３３と、ヒューズ３４と、共振器３５と、通信部３６と、制御部３７と、シールド３８を備える。
本実施形態では、電池部Ｃ１は、ラミネート型のリチウムイオン二次電池である。電池部Ｃ１は、７個の電池セルＢ１〜Ｂ７と、７個の抵抗成分付加部Ｄ１〜Ｄ７を備える。本実施形態では、これら７個の電池セルＢ１〜Ｂ７と７個の抵抗成分付加部Ｄ１〜Ｄ７は交互に電気的に直列に接続されている。つまり、これらが、電池セルＢ１、抵抗成分付加部Ｄ１、電池セルＢ２、抵抗成分付加部Ｄ２、・・・、電池セルＢ６、抵抗成分付加部Ｄ６、電池セルＢ７、抵抗成分付加部Ｄ７といった順序で電気的に直列に接続されている。
遮断部３３は、放電用の遮断部（放電遮断部５１）と、充電用の遮断部（充電遮断部５２）を備える。
制御部３７は、記憶部７１と、計測部７２と、抵抗制御部７３を備える。
【００１９】
接続端１１および接続端１２は、外部の負荷と接続する端子である。
本実施形態では、電池セルＢ１〜Ｂ７が放電するとき、電池装置１の内部において接続端１２から接続端１１への方向で電流が流れ、電池装置１の外部において接続端１１から接続端１２への方向で電流が流れる。
本実施形態では、電池セルＢ１〜Ｂ７が充電するとき、電池装置１の内部において接続端１１から接続端１２への方向で電流が流れる。
【００２０】
電池部Ｃ１において、それぞれの電池セルＢ１〜Ｂ７のプラス側と、それぞれの電池セルＢ１〜Ｂ７のプラス側に隣接する抵抗成分付加部Ｄ１〜Ｄ７の一端とが接続されている。また、それぞれの抵抗成分付加部Ｄ１〜Ｄ６の他端と、当該他端に隣接する電池セルＢ２〜Ｂ７のマイナス側とが接続されている。
ここで、本実施形態では、すべての電池セルＢ１〜Ｂ７は同一の規格のものである。
【００２１】
それぞれの抵抗成分付加部Ｄ１〜Ｄ７は、当該それぞれの抵抗成分付加部Ｄ１〜Ｄ７の抵抗値を変化することが可能な回路構成を有している。
ここで、抵抗値を変化することが可能な回路構成としては、一例として、スイッチと抵抗を備え、当該スイッチがオン状態（導通した状態）とオフ状態（開放した状態）とで切り替えられることで、当該抵抗に電流が流れる状態と、当該抵抗に電流が流れずに他の経路に電流が流れる状態とが切り替えられ、これにより、抵抗値が変化する回路構成が用いられてもよい。当該他の経路は、例えば、当該抵抗と比べて、抵抗値がゼロ（または、ほぼゼロ）とみなされるような線路であってもよい。
また、抵抗値を変化することが可能な回路構成としては、他の例として、抵抗値が変化させられることが可能な可変抵抗を備え、当該可変抵抗の抵抗値が変化させられる回路構成が用いられてもよい。
それぞれの抵抗成分付加部Ｄ１〜Ｄ７は、それぞれの配線ｓ４１〜ｓ４７を介して、制御部３７と接続されている。
【００２２】
電池セルＢ１のマイナス側と電流検出抵抗３２の一端とが接続されている。
電流検出抵抗３２の他端と放電遮断部５１の一端とが接続されている。
放電遮断部５１の他端と充電遮断部５２の一端とが接続されている。
充電遮断部５２の他端と接続端１２とが接続されている。
電池セルＢ７のプラス側とヒューズ３４の一端とが接続されている。
ヒューズ３４の他端と接続端１１とが接続されている。
【００２３】
それぞれの電池セルＢ１〜Ｂ７のプラス側に接続された抵抗成分付加部Ｄ１〜Ｄ７の他端（当該それぞれの電池セルＢ１〜Ｂ７とは接続されていない側）は、それぞれの配線ｓ１〜ｓ７を介して、制御部３７と接続されている。これらの配線ｓ１〜ｓ７は、それぞれの電池セルＢ１〜Ｂ７とそれに接続された抵抗成分付加部Ｄ１〜Ｄ７との組み合わせにかかる電圧を検出するために備えられている。本実施形態では、これらの配線ｓ１〜ｓ７のうちの任意の２個の配線の間にかかる電圧は、当該２個の配線の間に備えられた１個以上の電池セルおよび抵抗成分付加部の両端にかかる電圧に相当する。
制御部３７には、電池装置１の外部へ所定の信号を送信するための配線ｓ１１が接続されている。
【００２４】
温度センサ３１は、電池部Ｃ１が有する電池セルＢ１〜Ｂ７の付近に配置されており、図１の例では、電池セルＢ４の付近に配置されている。
温度センサ３１は、配線ｓ２１を介して、制御部３７と接続されている。
温度センサ３１は、温度を検出し、検出された温度を表す信号を、配線ｓ２１を介して、制御部３７に出力する。
ここで、本実施形態では、温度センサ３１は、電池セルＢ１〜Ｂ７の温度を直接または間接に検出する目的で備えられている。温度センサ３１としては、本実施形態の配置に限られず、他の任意のところに備えられてもよい。
【００２５】
電流検出抵抗３２は、配線ｓ３１を介して、制御部３７と接続されている。
電流検出抵抗３２は、当該電流検出抵抗３２に流れる電流の量を表す信号を、配線ｓ３１を介して、制御部３７に出力する。
本実施形態では、電池部Ｃ１の電池セルＢ１〜Ｂ７に流れる電流と同じ電流が電流検出抵抗３２に流れる。
【００２６】
放電遮断部５１は、例えば、ＭＯＳ（Ｍｅｔａｌ  Ｏｘｉｄｅ  Ｓｅｍｉｃｏｎｄｕｃｔｏｒ）トランジスタの素子を用いて構成されている。
放電遮断部５１は、制御部３７から入力される制御信号によって、電流検出抵抗３２と充電遮断部５２との間の信号経路に電池セルＢ１〜Ｂ７の放電電流を流す状態（本実施形態では、オン状態と呼ぶ。）と、当該放電電流を遮断する（つまり、流さない）状態（本実施形態では、オフ状態と呼ぶ。）とが切り替えられる。
ここで、本実施形態では、当該放電電流は、電池装置１の内部において、接続端１２から接続端１１への方向の電流である。
なお、本実施形態では、放電遮断部５１は、放電を遮断する状態から、放電を遮断しない状態へ復帰することが可能である。
【００２７】
充電遮断部５２は、例えば、ＭＯＳトランジスタの素子を用いて構成されている。
充電遮断部５２は、制御部３７から入力される制御信号によって、放電遮断部５１と接続端１２との間の信号経路に電池セルＢ１〜Ｂ７の充電電流を流す状態（本実施形態では、オン状態と呼ぶ。）と、当該充電電流を遮断する（つまり、流さない）状態（本実施形態では、オフ状態と呼ぶ。）とが切り替えられる。
ここで、本実施形態では、当該充電電流は、電池装置１の内部において、接続端１１から接続端１２への方向の電流である。
なお、本実施形態では、充電遮断部５２は、充電を遮断する状態から、充電を遮断しない状態へ復帰することが可能である。
【００２８】
ここで、本実施形態に係る電池装置１では、すべての電池セルＢ１〜Ｂ７に対して共通に放電遮断部５１が備えられたが、他の構成例として、１個以上の任意の数の電池セルに対して放電遮断部が備えられてもよい。
同様に、本実施形態に係る電池装置１では、すべての電池セルＢ１〜Ｂ７に対して共通に充電遮断部５２が備えられたが、他の構成例として、１個以上の任意の数の電池セルに対して充電遮断部が備えられてもよい。
また、放電遮断部５１と充電遮断部５２のうちの任意の一方が備えられてもよい。
このように、電池装置１では、例えば、少なくとも１個の電池セルＢ１〜Ｂ７に対して、放電遮断と充電遮断とのうちの少なくとも一方の機能を備えてもよい。このような放電遮断あるいは充電遮断の機能は、例えば、多数の電池セルが直列あるいは並列（直列と並列との組み合わせでもよい。）に接続されて配置される場合に特に有用である。
【００２９】
ヒューズ３４は、所定値以上の電流が流れた場合に、電池Ｂ７のプラス側と接続端１１との間の信号経路を切断する。
本実施形態では、ヒューズ３４は、制御部３７から入力される制御信号によっても、切断される構成となっている。
ヒューズ３４は、例えば、過充電の保護用および過電流の保護用に用いられる。
【００３０】
共振器３５は、電池装置１の外部の送電側の装置（図示せず）からワイヤレスで送電された電力を受電する機能を有する。
共振器３５は、受電された電力を制御部３７に伝送する。
【００３１】
通信部３６は、電池装置１の外部の通信装置（図示せず）との間で信号を通信する機能を有する。通信部３６は、例えば、通信を行う回路を有する。
本実施形態では、通信部３６は、外部の通信装置から電池装置１に送信されてきた信号を受信し、受信された信号を制御部３７に出力する。また、通信部３６は、制御部３７から入力された信号を外部の通信装置に送信する。
ここで、通信部３６により行われる通信は、例えば、無線通信であってもよく、あるいは、有線通信であってもよい。
具体例として、無線通信として、送電コイルと受電コイルとの間の電磁誘導を使用する通信が用いられてもよく、あるいは、Ｗｉ−Ｆｉ（登録商標）またはＢｌｕｅｔｏｏｔｈ（登録商標）等の通信が用いられてもよい。
【００３２】
通信装置としては、例えば、送電側の装置が用いられてもよく、あるいは、送電側の装置を無線などにより離隔制御する装置（リモートコントローラ）が用いられてもよい。
一例として、リモートコントローラが人により操作されることで、当該リモートコントローラから送電側の装置に送電開始の指示が送信される。これにより、送電側の装置は、受電側の装置（本実施形態では、電池装置１）に対してワイヤレス電力伝送を開始する。受電側の装置（本実施形態では、電池装置１）は、必要に応じて、所定の信号を当該リモートコントローラに送信する。
【００３３】
制御部３７は、電池装置１における各種の制御を行う。
記憶部７１は、各種の情報を記憶する。記憶部７１は、例えば、各種の判定あるいは各種の制御などにおいて使用される情報を記憶する。
なお、制御部３７は、各種の情報を取得する。
制御部３７は、例えば、配線ｓ１〜ｓ７のそれぞれから入力される信号に基づいて、７個の電池セルＢ１〜Ｂ７のうちで、任意の１個以上の電池セルの部分にかかる電圧を表す情報を取得する。本実施形態では、ここでいう１個以上の電池セルの部分には、それぞれの電池セルに接続された抵抗成分付加部も含まれる。
また、制御部３７は、例えば、温度センサ３１から配線ｓ２１を介して入力される信号に基づいて、温度センサ３１により検出された温度を表す情報を取得する。
また、制御部３７は、例えば、電流検出抵抗３２から配線ｓ３１を介して入力される信号に基づいて、電流検出抵抗３２に流れる電流を表す情報を取得する。
【００３４】
本実施形態では、制御部３７には、電池部Ｃ１に備えられた電池Ｂ１〜Ｂ７から電力が供給されることが可能であり、また、共振器３５により受電された電力が供給されることが可能である。
一例として、初期的には、制御部３７の最低限の動作に必要な電力が電池Ｂ１〜Ｂ７から制御部３７に供給されており、その後、外部から送電された電力が共振器３５により受電されると、当該電力が（自動的に）制御部３７に供給される構成としてもよい。なお、制御部３７に電力を供給する構成としては、他の任意の構成が用いられてもよい。
【００３５】
計測部７２は、所定の値を計測（検出）する。
本実施形態では、計測部７２は、配線ｓ１〜ｓ７のうちの任意の２個の配線の間にかかる電圧に基づいて、それぞれの電池セルＢ１〜Ｂ７について、当該電池セルＢ１〜Ｂ７とそれに接続された抵抗成分付加部との組み合わせの部分（以下、説明の便宜上、「電池セル抵抗組み合わせ部分」ともいう。）にかかる電圧を計測し、その計測結果に基づいてそれぞれの電池セル抵抗組み合わせ部分の抵抗値を計測する。この場合、計測部７２は、例えば、さらに電流検出抵抗３２を流れる電流を参照すること、あるいは、当該電流を変化させることの少なくとも一方を実行して、当該電圧を計測してもよい。また、この場合、計測部７２は、例えば、それぞれの電池セル抵抗組み合わせ部分にかかる電圧として、開放電圧（ＯＣＶ：Ｏｐｅｎ  Ｃｉｒｃｕｉｔ  Ｖｏｌｔａｇｅ）、当該電池セル抵抗組み合わせ部分に含まれる抵抗成分付加部の抵抗値が第１の抵抗値であるときの電圧、当該電池セル抵抗組み合わせ部分に含まれる抵抗成分付加部の抵抗値が第２の抵抗値（第２の抵抗値は、第１の抵抗値とは異なる抵抗値）であるときの電圧、といった３種類の電圧を計測して、これらの電圧に基づいてそれぞれの電池セル抵抗組み合わせ部分の抵抗値を判定してもよい。なお、第１の抵抗値よりも第２の抵抗値の方が大きいとすると、第１の抵抗値はゼロ（または、ほぼゼロ）であってもよく、あるいは、ゼロ以外の値であってもよい。
【００３６】
ここで、電池セルと抵抗成分付加部を有する電池セル抵抗組み合わせ部分の抵抗値は、当該電池セルの内部抵抗（その抵抗値）と当該抵抗成分付加部の抵抗値とを組み合わせた抵抗値となり、例えば、これらが直列に接続されている場合には、これらの抵抗値の和となる。このため、当該抵抗成分付加部の抵抗値がゼロであるとみなされるときには、当該電池セル抵抗組み合わせ部分の抵抗値は当該電池セルの内部抵抗（その抵抗値）と一致する。
電池セルの内部抵抗に抵抗成分付加部の抵抗値が付加される場合、当該抵抗成分付加部の抵抗値は、当該電池セルの内部抵抗に対して、外部抵抗であると捉えることができる。
【００３７】
なお、例えば、複数の電池セルＢ１〜Ｂ７のうちの一部または全部の電池セルについて、当該電池セルの内部抵抗の値が記憶部７１に記憶されていてもよい。この場合、計測部７２は、記憶部７１から当該電池セルの内部抵抗の値を読み出して使用してもよい。他の例として、計測部７２は、それぞれの電池セルＢ１〜Ｂ７の内部抵抗を、任意の手法で、計測してもよい。
また、本実施形態では、それぞれの抵抗成分付加部Ｄ１〜Ｄ７によってそれぞれの電池セルＢ１〜Ｂ７に付加される抵抗値は、抵抗制御部７３によって制御される。計測部７２は、計測を行うに際して、必要に応じて、抵抗制御部７３によってそれぞれの抵抗成分付加部Ｄ１〜Ｄ７の抵抗値を制御して、当該抵抗値を変更してもよい。
【００３８】
抵抗制御部７３は、それぞれの抵抗成分付加部Ｄ１〜Ｄ７を制御する。
抵抗制御部７３は、例えば、計測部７２による計測結果に基づいて、それぞれの抵抗成分付加部Ｄ１〜Ｄ７を制御する。この場合、抵抗制御部７３は、計測部７２による計測結果に基づいて、それぞれの抵抗成分付加部Ｄ１〜Ｄ７の制御態様を決定（判定）し、決定された制御態様でそれぞれの抵抗成分付加部Ｄ１〜Ｄ７を制御する。
ここで、抵抗制御部７３は、例えば、所定の情報に基づいて、抵抗成分付加部Ｄ１〜Ｄ７の制御態様を決定する。当該所定の情報は、例えば、制御部３７により外部から取得される情報と、記憶部７１に記憶された情報との少なくとも一方である。なお、当該制御態様には、例えば、現状から変更する制御態様ばかりでなく、現状のままとする制御態様が含まれてもよい。
【００３９】
なお、他の例として、抵抗制御部７３は、あらかじめ定められた制御態様で、それぞれの抵抗成分付加部Ｄ１〜Ｄ７を制御してもよい。この場合、例えば、当該制御態様が記憶部７１に記憶されており、抵抗制御部７３は記憶部７１に記憶された当該制御態様を読み出して使用する。また、この場合には、例えば、計測部７２により抵抗成分付加部Ｄ１〜Ｄ７の制御態様を決定（判定）する処理は行われなくてもよい。
【００４０】
抵抗制御部７３は、それぞれの配線ｓ４１〜ｓ４７を介してそれぞれの抵抗成分付加部Ｄ１〜Ｄ７に制御のための信号（制御信号）を送信することで、当該それぞれの抵抗成分付加部Ｄ１〜Ｄ７を制御する。
本実施形態では、抵抗制御部７３は、それぞれの抵抗成分付加部Ｄ１〜Ｄ７の抵抗値を制御することが可能である。一例として、抵抗制御部７３は、外部（本実施形態では、電池セルＢ１〜Ｂ７）に抵抗を接続するか否かを切り替えるスイッチを備える抵抗成分付加部が用いられる場合、当該スイッチを制御することで、外部に接続される抵抗の有無（つまり、抵抗値の大きさ）を制御する。他の例として、抵抗制御部７３は、可変抵抗を備える抵抗成分付加部が用いられる場合、当該可変抵抗の抵抗値（当該抵抗値の大きさ）を制御する。
【００４１】
制御部３７は、他の様々な制御を行ってもよい。
制御部３７は、電池セルＢ１〜Ｂ７の状態を監視する。
図１の例では、制御部３７は、電池セルＢ１〜Ｂ７について、充電の制御を行い、また、放電の制御を行う。また、制御部３７は、放電遮断部５１の状態をオン状態とするかあるいはオフ状態とするかを制御し、また、充電遮断部５２の状態をオン状態とするかあるいはオフ状態とするかを制御する。また、制御部３７は、ヒューズ３４を切断する制御を行う。また、制御部３７は、通信部３６により外部の装置との間で通信を行うことを制御する。
なお、制御部３７は、例えば、それぞれの電池セルＢ１〜Ｂ７の状態、それぞれの抵抗成分付加部Ｄ１〜Ｄ７の状態、それぞれの電池セルＢ１〜Ｂ７とそれに接続された抵抗成分付加部Ｄ１〜Ｄ７との組み合わせの状態（１個の電池セルとそれに接続された１個の抵抗成分付加部との組み合わせの状態）、２個以上の電池セルＢ１〜Ｂ７とそれに接続された抵抗成分付加部Ｄ１〜Ｄ７との組み合わせの状態（２個以上の電池セルとそれに接続された抵抗成分付加部との組み合わせの状態）などに関する制御を行ってもよい。
【００４２】
制御部３７は、例えば、マイクロプロセッサなどのプロセッサを用いて構成されてもよい。制御部３７は、例えば、２次保護用のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を用いて構成されてもよい。また、制御部３７は、例えば、バッテリマネージメントシステム（ＢＭＳ：Ｂａｔｔｅｒｙ  Ｍａｎａｇｅｍｅｎｔ  Ｓｙｓｔｅｍ）の構成部として備えられてもよい。
【００４３】
シールド３８は、電池セルＢ１〜Ｂ７と共振器３５との間における電界、磁界、あるいは電磁波を遮蔽する機構を有する。
シールド３８は、例えば、金属を用いて構成されている。
なお、図１の例では、シールド３８をイメージ的に示してあるが、シールド３８の形状あるいは配置などは、電池セルＢ１〜Ｂ７と共振器３５との間における電界などを遮蔽するという目的が達せられるように、様々な態様が用いられてもよい。
電池装置１では、このようなシールド３８が備えられることで、例えば、ワイヤレス電力伝送時に漏れ磁束に起因した誘導加熱によって電池セルＢ１〜Ｂ７の温度が上昇して電池セルＢ１〜Ｂ７が劣化することを抑制（好ましくは、防止）することができる。
【００４４】
［抵抗成分付加部の構成および制御の一例］
図２を参照して、抵抗成分付加部Ｄ１〜Ｄ７の構成および制御の一例を示す。
図２は、本発明の一実施形態に係る抵抗成分付加部Ｄ６、Ｄ７の一例を示す図である。
ここで、図２の例では、説明を簡易化するために、図１に示される７個の抵抗成分付加部Ｄ１〜Ｄ７のうち、２個の抵抗成分付加部Ｄ６、Ｄ７および配線ｓ４６、ｓ４７のみを図示して説明するが、他の抵抗成分付加部Ｄ１〜Ｄ５および他の配線ｓ４１〜ｓ４５についても同様である。
また、図２の例では、図示を簡易化するために、２個の電池セルＢ６〜Ｂ７、２個の抵抗成分付加部Ｄ１〜Ｄ７、２個の配線ｓ４６〜ｓ４７、３個の配線ｓ５〜ｓ７、制御部３７のみを図示してあるが、他の構成は図１に示される構成と同様である。
【００４５】
電池セルＢ６のプラス側と抵抗成分付加部Ｄ６の一端とが接続されており、抵抗成分付加部Ｄ６の他端と電池セルＢ７のマイナス側とが接続されている。
抵抗成分付加部Ｄ６は、１個の抵抗Ｒ１と、１個のスイッチＳＷ１を備える。抵抗Ｒ１は、抵抗値が固定的に一定である固定抵抗である。
抵抗成分付加部Ｄ６の内部において、抵抗成分付加部Ｄ６の一端（電池セルＢ６のプラス側）には、抵抗Ｒ１と、経路Ｆ１とが並列に接続されている。また、抵抗成分付加部Ｄ６の内部において、抵抗成分付加部Ｄ６の他端（電池セルＢ７のマイナス側）には、スイッチＳＷ１が接続されている。
スイッチＳＷ１は、電池セルＢ６のプラス側と抵抗Ｒ１と電池セルＢ７のマイナス側とを接続する状態と、電池セルＢ６のプラス側と経路Ｆ１と電池セルＢ７のマイナス側とを接続する状態とが切り替えられることが可能である。
抵抗制御部７３は、スイッチＳＷ１を制御するための信号を、配線ｓ４６を介して、スイッチＳＷ１に出力することで、スイッチＳＷ１の状態を切り替える制御を行う。
【００４６】
また、電池セルＢ７に対する抵抗成分付加部Ｄ７についても、電池セルＢ６に対する抵抗成分付加部Ｄ６と同様な構成を有し同様な動作を行う。抵抗成分付加部Ｄ７は、抵抗Ｒ２、経路Ｆ２、スイッチＳＷ２を備えており、それぞれ、抵抗成分付加部Ｄ６における抵抗Ｒ１、経路Ｆ１、スイッチＳＷ１に対応する。
【００４７】
ここで、図１および図２の例では、すべての電池セルＢ１〜Ｂ７のそれぞれに、それぞれの抵抗成分付加部Ｄ１〜Ｄ７が接続される場合を示したが、他の例として、複数の電池セルＢ１〜Ｂ７のうちの一部（図１の例では、１個以上で６個以下の任意の数の電池セル）のそれぞれに、それぞれの抵抗成分付加部が接続される構成が用いられてもよい。この構成では、複数の電池セルＢ１〜Ｂ７のうちの任意の電池セルに抵抗成分付加部が接続されてもよい。なお、抵抗成分付加部Ｄ１〜Ｄ７が備えられないところには、制御部３７と抵抗成分付加部Ｄ１〜Ｄ７とを接続する配線ｓ４１〜ｓ４７も備えられなくてよい。
複数の電池セルＢ１〜Ｂ７のうちで抵抗成分付加部Ｄ１〜Ｄ７が接続されない電池セルについては、当該電池セルと後段の電池セルとが直列に接続される。つまり、２個の電池セルが隣り合う部分では、前段の電池セルのプラス側と、後段の電池セルのマイナス側とが、接続される。
また、複数の電池セルＢ１〜Ｂ７のうちで抵抗成分付加部Ｄ１〜Ｄ７が接続されない電池セルについては、電池セル抵抗組み合わせ部分は当該電池セルを含むが抵抗成分付加部を含まない部分であると捉えられる。
【００４８】
［抵抗成分付加部の構成および制御の他の例］
図３を参照して、抵抗成分付加部の構成および制御の他の例を示す。
図３は、本発明の一実施形態に係る抵抗成分付加部Ｄ１１の一例を示す図である。
図３の例では、複数の電池セルＢ１〜Ｂ７のうち、１個の電池セルＢ７のみに抵抗成分付加部Ｄ１１が設けられており、他の電池セルＢ１〜Ｂ６には抵抗成分付加部は設けられていない。ここで、抵抗成分付加部Ｄ１１は、図１の例における抵抗成分付加部Ｄ７の一例である。
図３の例では、図示を簡易化するために、１個の電池セルＢ７、１個の抵抗成分付加部Ｄ１１、１個の配線ｓ５１、２個の配線ｓ６〜ｓ７、制御部３７のみを図示してあるが、他の構成は、図１に示される抵抗成分付加部Ｄ１〜Ｄ６が設けられていない点を除いて、図１に示される構成と同様である。ここで、配線ｓ５１は、図１の例における配線ｓ４７の一例である。
【００４９】
電池セルＢ７のプラス側と抵抗成分付加部Ｄ７の一端とが接続されており、抵抗成分付加部Ｄ７の他端とヒューズ３４（図３の例では、図示を省略）の一端とが接続されている。
抵抗成分付加部Ｄ７は、１個の可変抵抗Ｒ１１を備え、本例では、当該可変抵抗Ｒ１１自体である。つまり、電池セルＢ７のプラス側と可変抵抗Ｒ１１の一端とが接続されており、可変抵抗Ｒ１１の他端とヒューズ３４（図３の例では、図示を省略）の一端とが接続されている。可変抵抗Ｒ１１は、抵抗値が可変である。
抵抗制御部７３は、可変抵抗Ｒ１１の抵抗値を制御するための信号を、配線ｓ５１を介して、可変抵抗Ｒ１１に出力することで、可変抵抗Ｒ１１の抵抗値を切り替える（変化させる）制御を行う。
【００５０】
ここで、図３の例では、１個の電池セルＢ７に、可変抵抗Ｒ１１からなる抵抗成分付加部Ｄ１１が接続される場合を示したが、このような抵抗成分付加部は、他の任意の電池セル（図１の例では、電池セルＢ１〜Ｂ６のうちの任意の１個の電池セル）に接続されてもよい。
また、図３の例では、１個の電池セルＢ７に、可変抵抗Ｒ１１からなる抵抗成分付加部Ｄ１１が接続される場合を示したが、このような抵抗成分付加部が任意の２個以上の電池セルに接続される構成が用いられてもよく、この場合、抵抗制御部７３はそれぞれの抵抗成分付加部の可変抵抗の抵抗値を制御することが可能である。
【００５１】
［電池セルの充電時に上限電圧に到達することを抑制する制御の概略］
図４は、本発明の一実施形態に係る電池セルの充電時に上限電圧に到達することを抑制する制御の概略を示す図である。
図４の例では、説明を簡易化するために、３個の電池セルＢ５〜Ｂ７について制御を行う場合を示すが、２個の電池セルについて制御を行う場合、あるいは、４個以上の電池セルについて制御を行う場合についても、同様である。
３個の電池セルＢ５〜Ｂ７のうちの１個以上には抵抗成分付加部が設けられており、これらが直列に接続されており、３個の電池セルＢ５〜Ｂ７がまとめて充電される。図４の例では、少なくとも電池セルＢ７には抵抗成分付加部が設けられているとする。
【００５２】
図４（ａ）には、電池セルＢ５について、容量（例えば、単位は［Ａｈ］）と電圧（例えば、単位は［Ｖ］）との関係の特性１１１を示してある。
図４（ｂ）には、電池セルＢ６について、容量と電圧との関係の特性１１２を示してある。
図４（ｃ）には、電池セルＢ７について、容量と電圧との関係の特性１１３を示してある。
図４（ａ）、図４（ｂ）、図４（ｃ）のそれぞれにおけるグラフでは、横軸は電池セルの容量を表しており、縦軸は電池セルの電圧を表している。
【００５３】
図４の例では、説明の便宜上、３個の電池セルＢ５〜Ｂ７について、充電の開始時（あるいは、充電途中のある時点）における電圧が一定であると想定して説明する。
３個の電池セルＢ５〜Ｂ７の容量は同じであるが、それぞれの電池セルＢ５〜Ｂ７の品質の差などによって、充電時には、内部抵抗が異なり得て、電圧が異なり得る。
図４の例では、３個の電池セルＢ５〜Ｂ７について、電池セルＢ５の内部抵抗が１番目に大きく（つまり、最も大きく）、電池セルＢ７の内部抵抗が２番目に大きく、電池セルＢ６の内部抵抗が３番目に大きい（つまり、最も小さい）。この場合、抵抗成分付加部の抵抗値がゼロであると想定すると、図４（ａ）、図４（ｂ）、図４（ｃ）に示されるように、電池セルＢ５の電圧が１番目に早く上限電圧に到達し、電池セルＢ５の品質が劣化する。
ここで、電池セルの上限電圧は、それぞれの電池Ｂ５〜Ｂ７の品質を劣化させずに、それぞれの電池Ｂ５〜Ｂ７を充電することが可能な電圧（電池セルの電圧）の上限値である。
【００５４】
そこで、本実施形態では、抵抗制御部７３によって、電池Ｂ７の内部抵抗に対して設けられた抵抗成分付加部の抵抗成分を制御する。このような制御の概要を、図４（ｄ）、図４（ｅ）、図４（ｆ）を参照して説明する。
図４（ｄ）には、電池セルＢ５について、容量と電圧との関係の特性１２１、および図４（ａ）の場合に対する変化分（特性変化分１２２）を示してある。
図４（ｅ）には、電池セルＢ６について、容量と電圧との関係の特性１２３、および図４（ｂ）の場合に対する変化分（特性変化分１２４）を示してある。
図４（ｆ）には、電池セルＢ７について、容量と電圧との関係の特性１２５、および図４（ｃ）の場合に対する変化分（特性変化分１２６）を示してあり、さらに、特性変化分１２６に対応する電圧オフセットＬ１を示してある。
図４（ｄ）、図４（ｅ）、図４（ｆ）のそれぞれにおけるグラフでは、横軸は電池セルの容量を表しており、縦軸は電池セルの電圧を示してある。
【００５５】
ここで、本例では、電池セルＢ７の内部抵抗に抵抗成分付加部の抵抗が接続された場合に、３個の電池セルＢ５〜Ｂ７のうちで、１個の電池セルＢ７について、電池セル抵抗組み合わせ部分の抵抗値（内部抵抗の値と付加された抵抗の抵抗値との和）が１番目に大きくなるとする。
図４（ｄ）、図４（ｅ）、図４（ｆ）に示されるように、抵抗付加成分を考慮すると、電池セルＢ７の電圧（電池セル抵抗組み合わせ部分の電圧）が１番目に早く上限電圧に到達する。
【００５６】
本例では、３個の電池セルＢ５〜Ｂ７のうち１個の電池セルが上限電圧となったときに、これら３個の電池セルＢ５〜Ｂ７の充電が完了する。
このため、抵抗制御部７３は、３個の電池セルＢ５〜Ｂ７のうちで、最も内部抵抗が大きい単電池Ｂ５以外の１個の単電池Ｂ７について、電池セル抵抗組み合わせ部分の抵抗値が最大となるように抵抗成分を制御し、つまり、最も内部抵抗が大きい単電池Ｂ５の電池セル抵抗組み合わせ部分の抵抗値に対して、単電池Ｂ７の電池セル抵抗組み合わせ部分の抵抗値が超えるように制御する。
これにより、電池セルＢ７の電池セル抵抗組み合わせ部分の電圧が１番目に早く上限電圧に到達するため、他の電池セルＢ５〜Ｂ６のそれぞれの電圧は上限電圧に到達せず、品質の劣化を防止することができる。
【００５７】
［電池セルの放電時に下限電圧に到達することを抑制する制御の概略］
図５は、本発明の一実施形態に係る電池セルの放電時に下限電圧に到達することを抑制する制御の概略を示す図である。
図５の例では、説明を簡易化するために、３個の電池セルＢ５〜Ｂ７について制御を行う場合を示すが、２個の電池セルについて制御を行う場合、あるいは、４個以上の電池セルについて制御を行う場合についても、同様である。
３個の電池セルＢ５〜Ｂ７のうちの１個以上には抵抗成分付加部が設けられており、これらが直列に接続されており、３個の電池セルＢ５〜Ｂ７がまとめて充電される。図５の例では、少なくとも電池セルＢ７には抵抗成分付加部が設けられているとする。
【００５８】
図５（ａ）には、電池セルＢ５について、容量（例えば、単位は［Ａｈ］）と電圧（例えば、単位は［Ｖ］）との関係の特性２１１を示してある。
図５（ｂ）には、電池セルＢ６について、容量と電圧との関係の特性２１２を示してある。
図５（ｃ）には、電池セルＢ７について、容量と電圧との関係の特性２１３を示してある。
図５（ａ）、図５（ｂ）、図５（ｃ）のそれぞれにおけるグラフでは、横軸は電池セルの容量を表しており、縦軸は電池セルの電圧を表している。
【００５９】
図５の例では、説明の便宜上、３個の電池セルＢ５〜Ｂ７について、放電の開始時（あるいは、放電途中のある時点）における容量および開放電圧（ＯＣＶ）が一定であると想定して説明する。
３個の電池セルＢ５〜Ｂ７の容量は同じであるが、それぞれの電池セルＢ５〜Ｂ７の品質の差などによって、放電時には、内部抵抗が異なり得て、電圧が異なり得る。
図５の例では、３個の電池セルＢ５〜Ｂ７について、電池セルＢ５の内部抵抗が１番目に大きく（つまり、最も大きく）、電池セルＢ７の内部抵抗が２番目に大きく、電池セルＢ６の内部抵抗が３番目に大きい（つまり、最も小さい）。この場合、抵抗成分付加部の抵抗値がゼロであると想定すると、図５（ａ）、図５（ｂ）、図５（ｃ）に示されるように、電池セルＢ５の電圧が１番目に早く下限電圧に到達し、電池セルＢ５の品質が劣化する。
ここで、電池セルの下限電圧は、それぞれの電池Ｂ５〜Ｂ７の品質を劣化させずに、それぞれの電池Ｂ５〜Ｂ７を放電することが可能な電圧（電池セルの電圧）の下限値である。
【００６０】
そこで、本実施形態では、抵抗制御部７３によって、電池Ｂ７の内部抵抗に対して設けられた抵抗成分付加部の抵抗成分を制御する。このような制御の概要を、図５（ｄ）、図５（ｅ）、図５（ｆ）を参照して説明する。
図５（ｄ）には、電池セルＢ５について、容量と電圧との関係の特性２２１、および図５（ａ）の場合に対する変化分（特性変化分２２２）を示してある。
図５（ｅ）には、電池セルＢ６について、容量と電圧との関係の特性２２３、および図５（ｂ）の場合に対する変化分（特性変化分２２４）を示してある。
図５（ｆ）には、電池セルＢ７について、容量と電圧との関係の特性２２５、および図５（ｃ）の場合に対する変化分（特性変化分２２６）を示してあり、さらに、特性変化分２２６に対応する電圧オフセットＬ１１を示してある。
図５（ｄ）、図５（ｅ）、図５（ｆ）のそれぞれにおけるグラフでは、横軸は電池セルの容量を表しており、縦軸は電池セルの電圧を示してある。
【００６１】
ここで、本例では、電池セルＢ７の内部抵抗に抵抗成分付加部の抵抗が接続された場合に、３個の電池セルＢ５〜Ｂ７のうちで、１個の電池セルＢ７について、電池セル抵抗組み合わせ部分の抵抗値（内部抵抗の値と付加された抵抗の抵抗値との和）が１番目に大きくなるとする。
図５（ｄ）、図５（ｅ）、図５（ｆ）に示されるように、抵抗付加成分を考慮すると、電池セルＢ７の電圧（電池セル抵抗組み合わせ部分の電圧）が１番目に早く下限電圧に到達する。
【００６２】
本例では、３個の電池セルＢ５〜Ｂ７のうち１個の電池セルが下限電圧となったときに、これら３個の電池セルＢ５〜Ｂ７の放電が完了する。
このため、抵抗制御部７３は、３個の電池セルＢ５〜Ｂ７のうちで、最も内部抵抗が大きい単電池Ｂ５以外の１個の単電池Ｂ７について、電池セル抵抗組み合わせ部分の抵抗値が最大となるように抵抗成分を制御し、つまり、最も内部抵抗が大きい単電池Ｂ５の電池セル抵抗組み合わせ部分の抵抗値に対して、単電池Ｂ７の電池セル抵抗組み合わせ部分の抵抗値が超えるように制御する。
これにより、電池セルＢ７の電池セル抵抗組み合わせ部分の電圧が１番目に早く下限電圧に到達するため、他の電池セルＢ５〜Ｂ６のそれぞれの電圧は下限電圧に到達せず、品質の劣化を防止することができる。
【００６３】
ここで、抵抗制御部７３は、例えば、複数の電池セルＢ１〜Ｂ７のうちの１以上の電池セルについて抵抗成分付加部の抵抗値を制御する処理を、充電途中の末期（充電末期）のタイミングで行ってもよい。充電末期としては、例えば、あらかじめ、充電末期とする電池セルの容量あるいは電圧などが設定される。
また、抵抗制御部７３は、例えば、複数の電池セルＢ１〜Ｂ７のうちの１以上の電池セルについて抵抗成分付加部の抵抗値を制御する処理を、放電途中の末期（放電末期）のタイミングで行ってもよい。放電末期としては、例えば、あらかじめ、放電末期とする電池セルの容量あるいは電圧などが設定される。
また、抵抗制御部７３は、例えば、複数の電池セルＢ１〜Ｂ７のうちの１以上の電池セルについて抵抗成分付加部の抵抗値を制御する処理を、充電途中の末期と放電途中の末期との両方で行ってもよい。
【００６４】
なお、好ましい例として、充電末期の指標を、電池セルＢ１〜Ｂ７の充電中の残容量（ＳＯＣ：Ｓｔａｔｅ  Ｏｆ  Ｃｈａｒｇｅ）が８０％〜１００％（８０％以上で１００
以下）のときであると設定されてもよい。
また、好ましい例として、放電末期の指標を、電池セルＢ１〜Ｂ７の放電中の電圧が２０％〜０％（２０％以下で０％以上）のときであると設定されてもよい。
【００６５】
具体例として、電池セルＢ１~Ｂ７の正極活物質にＮＣＡが用いられる場合、電池セルＢ１~Ｂ７の電圧が３．５V〜３．３Vである領域では、電池セルＢ１~Ｂ７のＳＯＣに対する電圧の変動が安定している。
ここで、ＮＣＡはＬｉａ（Ｎｉ1-ｂ-ｃＣｏｂＡｌｃ）Ｏ２（ただし、０．９≦ａ≦１．３、０＜ｂ≦０．５、０＜ｃ≦０．７）である。
この場合、電池セルの電圧とＳＯＣとの関係は、概略的には、電圧が３．０ＶであるときＳＯＣは０％であり、電圧が３．３ＶであるときＳＯＣは２０％であり、電圧が４．１５ＶであるときＳＯＣは８０％であり、電圧が４．２ＶであるときＳＯＣは１００％である。このように電池セルの電圧とＳＯＣとの関係が把握される場合には、電圧の指標とＳＯＣの指標のうちの任意の一方が用いられてもよい。
【００６６】
好ましい例として、抵抗制御部７３は、複数の電池セルＢ１〜Ｂ７のうち、内部抵抗の値が２番目に大きい電池セルに、抵抗成分付加部の抵抗を接続するように制御してもよい。これにより、例えば、内部抵抗の値が３番目以降に大きい電池セルに抵抗成分付加部の抵抗を接続する場合と比べて、抵抗成分付加部の抵抗の抵抗値を小さくすることが可能である。他の例として、抵抗制御部７３は、複数の電池セルＢ１〜Ｂ７のうち、内部抵抗の値が３番目以降に大きい電池セルに、抵抗成分付加部の抵抗を接続するように制御してもよい。つまり、抵抗制御部７３は、例えば、内部抵抗が最も大きい電池セルの内部抵抗とその他のいずれか１個の特定の電池セルの内部抵抗との差分を上回る抵抗成分付加部の抵抗成分を、当該特定の電池セルに付加してもよい。
なお、他の例として、抵抗制御部７３は、複数の電池セルＢ１〜Ｂ７のうち、内部抵抗の値が１番目に大きい電池セルに、抵抗成分付加部の抵抗を接続するように制御してもよい。
【００６７】
一例として、複数の電池セルＢ１〜Ｂ７のすべてについて、それぞれの電池セルＢ１〜Ｂ７にそれぞれの抵抗成分付加部Ｄ１〜Ｄ７を設け、それぞれの抵抗成分付加部を固定抵抗を用いて構成してもよい。この場合、抵抗制御部７３は、例えば、これら複数の電池セルＢ１〜Ｂ７の内部抵抗に基づいて、これら複数の電池セルＢ１〜Ｂ７のうちの１個の電池セルを選択し、選択された電池セルに抵抗成分付加部の抵抗を接続するように制御してもよい。他の例として、抵抗制御部７３は、これら複数の電池セルＢ１〜Ｂ７の内部抵抗に基づいて、これら複数の電池セルＢ１〜Ｂ７のうちの２個以上の電池セルを選択し、選択された電池セルに抵抗成分付加部の抵抗を接続するように制御してもよい。
なお、他の例として、複数の電池セルＢ１〜Ｂ７のうちの一部について、それぞれの電池セルにそれぞれの抵抗成分付加部を設け、それぞれの抵抗成分付加部を固定抵抗を用いて構成してもよい。この場合、抵抗制御部７３は、例えば、これら複数の電池セルＢ１〜Ｂ７の内部抵抗に基づいて、抵抗成分付加部が設けられた１個以上の電池セルを選択し、選択された電池セルに抵抗成分付加部の抵抗を接続するように制御してもよい。
【００６８】
一例として、複数の電池セルＢ１〜Ｂ７のうちの１個の電池セルについて、抵抗成分付加部を設け、当該抵抗成分付加部を可変抵抗を用いて構成してもよい。この場合、抵抗制御部７３は、例えば、これら複数の電池セルＢ１〜Ｂ７の内部抵抗に基づいて、当該抵抗成分付加部の抵抗値を制御してもよい。この場合、当該抵抗成分付加部（可変抵抗）が該当する電池セルに接続される。
なお、他の例として、複数の電池セルＢ１〜Ｂ７のうちの２個以上の電池セルについて、抵抗成分付加部を設け、当該抵抗成分付加部を可変抵抗を用いて構成してもよい。この場合、抵抗制御部７３は、例えば、これら複数の電池セルＢ１〜Ｂ７の内部抵抗に基づいて、抵抗成分付加部が設けられた１個以上の電池セルを選択し、選択された電池セルの抵抗成分付加部の抵抗値を制御してもよい。
【００６９】
好ましい例として、複数の電池セルＢ１〜Ｂ７のうち、満充電容量が最も大きい電池セルと満充電容量が最も小さい電池セルとで、満充電容量の差が、満充電容量が最も小さい電池セルの満充電容量に対して５％以内となるように設定してもよい。このような設定は、電池部Ｃ１を構成する電池セル間の容量差について、実用的な値の一例である。
また、好ましい例として、複数の電池セルＢ１〜Ｂ７のうち、開放電圧（開回路電圧）が最も大きい電池セルと開放電圧が最も小さい電池セルとで、開放電圧の差が、開放電圧が最も小さい電池セルの開放電圧に対して１０％以内となるように設定してもよい。このような設定は、電池部Ｃ１を構成する電池セル間の開放電圧の差について、実用的な値の一例である。
【００７０】
好ましい例として、抵抗成分付加部Ｄ１〜Ｄ７が固定抵抗を用いて構成される場合、当該固定抵抗として、抵抗値が０．１mΩ〜５mΩ（０．１mΩ以上で５mΩ以下）である固定抵抗が用いられてもよい。このような設定は、実用的な値の一例である。
好ましい例として、抵抗成分付加部Ｄ１〜Ｄ７が可変抵抗を用いて構成される場合、当該可変抵抗として、抵抗値が０．１mΩ〜５mΩ（０．１mΩ以上で５mΩ以下）の範囲で設定されることが可能な可変抵抗が用いられてもよい。このような設定は、実用的な値の一例である。
【００７１】
好ましい例として、抵抗成分付加部Ｄ１〜Ｄ７が可変抵抗を用いて構成される場合、当該可変抵抗の抵抗値を、内部抵抗が最も大きい電池セルの内部抵抗とその他のいずれか１個の特定の電池セルの内部抵抗との差分に対して１００％〜１１０％（１００％以上で１１０％以下）となるように設定されてもよい。このような設定は、実用的な値の一例である。
好ましい例として、複数の電池セルＢ１〜Ｂ７は、満充電容量が互いに近く、開放電圧が揃っている電池セルである。
【００７２】
以上のように、本実施形態に係る電池装置１では、電池部Ｃ１を構成する電池セルＢ１〜Ｂ７に外部の抵抗成分付加部Ｄ１〜Ｄ７により抵抗成分を付加することによって、電池セルＢ１〜Ｂ７間の電圧差を調整することができる。これにより、電池装置１では、例えば、特定の電池セルを上下限電圧に到達させることなく、抵抗成分付加部Ｄ１〜Ｄ７の抵抗成分を考慮した場合にそれぞれの電池セルＢ１〜Ｂ７の負荷を均等化することで、電池セルＢ１〜Ｂ７の性能あるいは寿命を最大限に発揮させることができる。電池装置１では、例えば、複数の電池セルＢ１〜Ｂ７について、電池セルＢ１〜Ｂ７の容量および電圧の均一化、信頼性寿命の増大、異常の発生の抑制などを実現することができる。
このように、本実施形態に係る電池装置１では、複数の電池セルＢ１〜Ｂ７が接続される場合に、電池セルＢ１〜Ｂ７同士の間の電圧差を調整することができる。
【００７３】
一構成例として、電池装置（図１の例では、電池装置１）では、複数の電池セル（図１の例では、電池セルＢ１〜Ｂ７）が電気的に直列に接続された電池部（図１の例では、電池部Ｃ１）と、それぞれの電池セルの内部抵抗を計測する計測部（図１の例では、計測部７２）と、少なくとも１個の電池セルに抵抗成分を付加する抵抗成分付加部（図１の例では、抵抗成分付加部Ｄ１〜Ｄ７）と、計測部により計測された内部抵抗に基づいて抵抗成分付加部を制御する抵抗制御部（図１の例では、抵抗制御部７３）と、を備える。そして、電池装置では、抵抗成分が付加された電池セル（図１の例では、複数の電池セルＢ１〜Ｂ７のうち抵抗成分が付加された１個の電池セル）の内部抵抗と当該抵抗成分との合計値が、他のすべての電池セルの内部抵抗（それぞれの電池セルの内部抵抗）の値よりも大きい。
したがって、電池装置では、抵抗成分が付加された電池セルの電圧が当該抵抗成分によってオフセットされるため、内部抵抗が最も大きい電池セルが上限電圧あるいは下限電圧に到達することを抑制することができる。
【００７４】
一構成例として、電池装置では、複数の電池セルの充電末期と放電末期の少なくとも一方において、抵抗成分付加部により少なくとも１個の電池セルに抵抗成分を付加する。
したがって、電池装置では、特定の電池セルに抵抗成分を付加するタイミングが充電末期あるいは放電末期に限定されることで、抵抗成分付加部の抵抗への通電時間を短縮することができ、電力ロスを抑制することができる。
【００７５】
一構成例として、電池装置では、抵抗成分付加部の抵抗成分は、抵抗値が一定である固定抵抗である。
一構成例として、電池装置において、２以上の電池セルについて、固定抵抗と、固定抵抗が電池セルに電気的に付加された状態と固定抵抗が電池セルに電気的に付加されない状態とを切り替えるスイッチと、を備える。そして、電池装置において、抵抗制御部は、計測部により計測された内部抵抗に基づいて、固定抵抗が電池セルに付加された状態とする電池セルを選択し、選択された電池セルに固定抵抗が付加された状態となるようにスイッチを制御する。
一構成例として、電池装置では、抵抗成分付加部の抵抗成分は、抵抗値が可変である可変抵抗である。
一構成例として、電池装置において、１以上の電池セルについて、可変抵抗を備える。そして、電池装置において、抵抗制御部は、計測部により計測された内部抵抗に基づいて、可変抵抗の抵抗値を変化させる。
【００７６】
ここで、本実施形態で示されるような電池装置１を１個以上含む電池システムが実施されてもよい。
一構成例として、電池システムでは、複数の電池装置を備える。そして、少なくとも１個の電池装置は、以上に示されるような電池装置（図１の例では、電池装置１）である。
したがって、電池システムでは、多くの電池装置を並列あるいは直列に接続することができ、蓄電システムの高電圧化、高容量化が可能になる。
【００７７】
以上に示した実施形態に係る各装置（例えば、電池装置１の制御部３７など）の機能を実現するためのプログラムをコンピュータ読み取り可能な記録媒体（記憶媒体）に記録して、この記録媒体に記録されたプログラムをコンピュータシステムに読み込ませ、実行することにより、処理を行ってもよい。
なお、ここでいう「コンピュータシステム」とは、オペレーティング・システム（ＯＳ：Ｏｐｅｒａｔｉｎｇ  Ｓｙｓｔｅｍ）或いは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｃ）等の可搬媒体、コンピュータシステムに内蔵されるハードディスク等の記憶装置のことをいう。また、記録媒体としては、例えば、一時的にデータを記録する記録媒体であってもよい。
【００７８】
さらに、「コンピュータ読み取り可能な記録媒体」とは、インターネット等のネットワーク或いは電話回線等の通信回線を介してプログラムが送信された場合のサーバ或いはクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）或いは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【００７９】
以上、本発明の実施形態について図面を参照して詳述したが、具体的な構成はこの実施形態に限られるものではなく、本発明の要旨を逸脱しない範囲の設計変更等も含まれる。
【符号の説明】
【００８０】
１…電池装置、１１、１２…接続端、３１…温度センサ、３２…電流検出抵抗、３３…遮断部、３４…ヒューズ、３５…共振器、３６…通信部、３７…制御部、３８…シールド、５１…放電遮断部、５２…充電遮断部、７１…記憶部、７２…計測部、７３…抵抗制御部、Ｂ１〜Ｂ７…電池セル、Ｃ１…電池部、Ｄ１〜Ｄ７、Ｄ１１…抵抗成分付加部、ｓ１〜ｓ７、ｓ１１、ｓ２１、ｓ３１、ｓ４１〜ｓ４７、ｓ５１…配線、１１１〜１１３、１２１、１２３、１２５、２１１〜２１３、２２１、２２３、２２５…特性、１２２、１２４、１２６、２２２、２２４、２２６…特性変化分、Ｌ１、Ｌ１１…オフセット、Ｒ１〜Ｒ２…固定抵抗、Ｒ１１…可変抵抗、ＳＷ１〜ＳＷ２…スイッチ
【図１】
2019165557.tif 000003
【図２】
2019165557.tif 000004
【図３】
2019165557.tif 000005
【図４】
2019165557.tif 000006
【図５】
2019165557.tif 000007